(57)【特許請求の範囲】
【請求項１】
操作スイッチ類を有する操作パネルに形成された凹部内に、デタッチグリルを着脱可能に収納するデタッチ機構であって、
前記凹部内に収納される前記デタッチグリルを、前記凹部に対して取外し可能に支持する支持手段と、
前記支持手段を支点として前記デタッチグリルを前記凹部の外側に回動させて取外すための取外し操作がなされると、前記支持手段にて取外し可能に支持された前記デタッチグリルを、前記凹部と前記デタッチグリルとの当接により前傾態位に保持する当接手段と、を備え、
前記当接手段は、前記取外し操作がなされる際に離脱態位に設定される前記デタッチグリルを前記当接によって前記前傾態位に保持することで前記凹部からの脱落を防止すること、
を特徴とするデタッチ機構。
【請求項２】
前記支持手段は、
前記凹部に形成されたヒンジ受け部と、
前記デタッチグリルに形成され前記ヒンジ受け部に取外し可能に嵌合するヒンジ部とを備えて構成されていること、
を特徴とする請求項１に記載のデタッチ機構。
【請求項３】
前記当接手段は、
前記ヒンジ受け部に向けて傾斜し前記凹部の開口縁に形成された第１の傾斜面と、
前記デタッチグリルに形成され、前記デタッチグリルが前記凹部内に収納された状態で前記ヒンジ部に向けて対向し前記デタッチグリルに形成された第２の傾斜面と、を有し、
前記支持手段を支点として前記取外し操作により前記デタッチグリルが前記凹部の外側に回動されると、前記第１の傾斜面と第２の傾斜面が互いに干渉して前記当接することで、前記デタッチグリルの開放を停止して前記前傾態位に保持すること、
を特徴とする請求項２に記載のデタッチ機構。
【請求項４】
更に、前記操作パネルに設けられた係止部と、
前記デタッチグリルに設けられ、前記凹部内に前記デタッチグリルが収納されると前記係止部に係合し、前記取外し操作により前記デタッチグリルが前記凹部の外側に回動される際には前記係止部との係合を解除する係合部材とを有すること、
を特徴とする請求項１乃至３の何れか１項に記載のデタッチ機構。
【請求項５】
請求項１乃至４の何れか１項に記載のデタッチ機構を備えること、を特徴とする情報記録再生装置。
【発明の詳細な説明】
【０００１】
【発明の属する技術分野】
本発明は、デタッチ機構およびこれを用いた情報記録再生装置に監視、さらに詳しくは、車載用情報記録再生装置における盗難防止構造に関する。
【０００２】
【従来の技術】
情報再生記録装置の一つにＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）あるいはＭＤ（Ｍｉｎｉ  Ｄｉｓｃ）等の再生装置がある。
近年、このような情報記録再生装置を車に搭載する構成も多々提案されている。
車載用情報記録再生装置は、比較的高価でしかも小型な構造であるため、車に取り付けられていても取り外しができることから盗難に会う機会も多い。
従来、盗難防止のための構成としては、操作パネルの周囲を情報再生装置とは別部材である枠部材により固定し、枠部材の取り外しを特殊な工具で行えるようにした構造や、操作パネル全面をこれが取り付けられているインストルメントパネルと一体化が可能なカバーなどで覆う構造がある。
【０００３】
【発明が解決しようとする課題】
上記の盗難防止構造においては、情報記録再生装置とは別部材によって取り外しが行えないようにする構成であるので、部品点数が増加したりあるいは保守時などにおいて取り外す場合に工具を持ち合わせていないと取り外しができない等の不具合がある。
このような不具合を解消するために、情報記録再生装置自体に盗難防止機構を装備した構成もある。この構成は、情報記録再生装置本体とこれの操作パネル全体とを分割可能に設けて、いわゆるデタッチ機構を構成し、操作パネルに設けられているスイッチ類の操作が操作パネル全体を分割された場合の情報記録再生装置側ではできないようにした構成である。
この構成では、操作パネルを情報記録再生装置から取り外しておくことで情報記録再生装置の操作ができないことを外部から容易に判断できるようにして盗難しても意味のないことを認識させる効果がある。
【０００４】
しかし、上記のデタッチ機構においては、操作性や取り外しの際に脱落しやすいなどの不具合がある。つまり、この種、車載用情報記録再生装置は設置スペースが限定されることから比較的小型化されているのに対して操作パネルは誤操作を防止するために比較的大型になっている。このため、取り外された操作パネルが比較的大きく嵩張りやすく、持ち運びに不便を感じる。
また、操作パネルは情報記録再生装置の前面に対して係止部の係合を解除した途端に外れると、人手などで支えていないとそのまま脱落してしまい、パネルやパネル面から突出しているスイッチ類を損傷してしまう虞がある。
【０００５】
本発明の目的は、上記従来のデタッチ機構およびこれを用いた情報記録再生装置における問題に鑑み、着脱操作性を向上できると共に着脱時での不用意な脱落を確実に防止して分割可能な操作パネルの損傷を防止できる構成を備えたデタッチ機構およびこれを用いた情報記録再生装置を提供することにある。
【０００６】
【課題を解決するための手段】
請求項１記載の発明は、操作スイッチ類を有する操作パネルに形成された凹部内に、デタッチグリルを着脱可能に収納するデタッチ機構であって、前記凹部内に収納される前記デタッチグリルを、前記凹部に対して取外し可能に支持する支持手段と、前記支持手段を支点として前記デタッチグリルを前記凹部の外側に回動させて取外すための取外し操作がなされると、前記支持手段にて取外し可能に支持された前記デタッチグリルを、前記凹部と前記デタッチグリルとの当接により前傾態位に保持する当接手段と、を備え、前記当接手段は、前記取外し操作がなされる際に離脱態位に設定される前記デタッチグリルを前記当接によって前記前傾態位に保持することで前記凹部からの脱落を防止すること、を特徴としている。
【０００７】
請求項２記載の発明は、請求項１に記載のデタッチ機構において、前記支持手段は、前記凹部に形成されたヒンジ受け部と、前記デタッチグリルに形成され前記ヒンジ受け部に取外し可能に嵌合するヒンジ部とを備えて構成されていること、を特徴としている。
【０００８】
請求項３記載の発明は、請求項２に記載のデタッチ機構において、前記当接手段は、前記ヒンジ受け部に向けて傾斜し前記凹部の開口縁に形成された第１の傾斜面と、前記デタッチグリルに形成され、前記デタッチグリルが前記凹部内に収納された状態で前記ヒンジ部に向けて対向し前記デタッチグリルに形成された第２の傾斜面と、を有し、前記支持手段を支点として前記取外し操作により前記デタッチグリルが前記凹部の外側に回動されると、前記第１の傾斜面と第２の傾斜面が互いに干渉して前記当接することで、前記デタッチグリルの開放を停止して前記前傾態位に保持すること、を特徴としている。
【０００９】
請求項４記載の発明は、請求項１乃至３の何れか１項に記載のデタッチ機構において、更に、前記操作パネルに設けられた係止部と、前記デタッチグリルに設けられ、前記凹部内に前記デタッチグリルが収納されると前記係止部に係合し、前記取外し操作により前記デタッチグリルが前記凹部の外側に回動される際には前記係止部との係合を解除する係合部材とを有すること、を特徴としている。
【００１０】
請求項５記載の発明は、請求項１乃至４の何れか１項に記載のデタッチ機構を情報記録再生装置に備えることを特徴としている。
【００１１】
【発明の実施の形態】
以下、図面に示した実施例により本発明の実施の形態を説明する。
図１は、本発明の実施の形態に係るデタッチ機構を用いた情報記録再生装置の外観図であり、同図に示す情報記録再生装置は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＭＤ（Ｍｉｎｉ  Ｄｉｓｃ）等のストレージ媒体からなる情報を再生する装置であり、本実施例では車載用カーオーディオ装置（以下、車載用情報記録再生装置と称する）を対象としている。
【００１２】
図１において車載用情報記録再生装置１は、記録媒体を挿入可能なスロットイン開口２Ａおよび各種操作スイッチ類を備えた操作パネル２Ｂが前面に設けられている装置本体２と、液晶パネルを前面に備えた表示パネル３とで構成されている。
装置本体２には図示しないが、記録媒体の再生装置が備えられており、操作パネル２Ｂに備えられている操作スイッチ類の操作に応じて再生条件の設定や記録媒体の取り出しが行えるようになっている。
表示パネル３では、図示しないが、前面に一部が引き出されて起こされることによりモニターとしての画面構造が得られるようになっている。
【００１３】
操作パネル２Ｂには、その一部が他の部分に対して分割できるデタッチグリル４が装備されており、デタッチグリル４には、操作パネル２Ｂに装備されている各種スイッチ類を操作可能な押しボタン（便宜上、図１において符号Ｐで示す）が並列して設けられている。
押しボタンＰは、図２に示すように、デタッチグリル４の背面に一部が突出しており、その突出した部分が操作パネル２Ｂ側に設けられているスイッチ類（便宜上、図２において符号Ｓで示す）に対向し、連動させることができるようになっている。
【００１４】
デタッチグリル４は、後述するデタッチ機構により、図１に示すように操作パネル２Ｂに装着されて操作パネル２Ｂの一部を構成する場合と、図２に示すように操作パネル２Ｂから取り外される場合とが選択できるようになっている。
デタッチグリル４の着脱態位を設定可能なデタッチ機構は、デタッチグリル４を着脱可能に支持すると共に、操作パネル２Ｂに対する係合状態が解除された際にデタッチグリル４を前傾態位に保持できる構成を備えており、その構成は、図２に示すように、操作パネル２Ｂ側に設けられているヒンジ受け部５および係止部６とデタッチグリル４側に設けられているヒンジ部７および係合部８を備えている。
【００１５】
操作パネル２Ｂ側にはデタッチグリル４を収納可能な支持空間を構成する凹部２Ｂ１が設けられており、該凹部２Ｂ１における両側下部には操作パネル２Ｂ側でのデタッチ機構を構成する部材の一つであるロッド状のヒンジ受け部５が設けられ、凹部２Ｂ１の幅方向中央上部には同じく操作パネル２Ｂ側でのデタッチ機構を構成する部材の今一つである鈎状の係止部６が設けられている。
ヒンジ受け部５に対しては、デタッチグリル４の幅方向両端下部に一体成形されてデタッチグリル４側でのデタッチ機構を構成する部材の一つである下向き開口を有する凹状のヒンジ部７が搭載されて嵌合可能に支持できるようになっている。このため、デタッチグリル４は、ヒンジ受け部５を支点としてデタッチグリル４の支持面となる操作パネル２Ｂの凹部２Ｂ１に対して開閉可能に支持されると共にヒンジ受け部５からヒンジ部７を抜き出させることにより操作パネル２Ｂから取り外せるようになっている。
【００１６】
凹部２Ｂ１の幅方向中央上部に設けられている係止部６に対しては、デタッチグリル４側でこれに対向して設けられたデタッチ機構を構成する部材の今一つである係合部材８が係脱できるようになっている。
係合部材８は、図示しないが、バネなどの弾性体を用いて係止部６に対して進退可能に設けられており、デタッチグリル４の前面に露出している一部を押圧操作することにより係合部材８が係止部６から外れるようになっている。
【００１７】
図３は、図１において符号（３）で示す方向の矢視図であり、同図には、デタッチグリル４の開閉状態が示されている。
同図において、係止部５に対して係合部材８が係合している場合ではデタッチグリル４が操作パネル２Ｂの凹部２Ｂ１内に収納された状態が維持され、係止部５に対して係合部材８の係合を解除すると、ヒンジ受け部５を支点としてデタッチグリル４が開放される方向に回動することができる（図３中、二点鎖線で示す状態）。
【００１８】
図１においてデタッチグリル４は、開閉方向と直角な方向に相当する幅方向両端縁が操作パネル２Ｂにおける凹部２Ｂ１の支持面、つまり、凹部２Ｂ１の開口縁２Ｃとの間で連続する傾斜面４Ａで構成されており、この傾斜面４Ａが操作パネル２Ｂの開閉支持位置側、つまり、ヒンジ受け部５に向かうに従って狭まるテーパ面とされている。
デタッチグリル４の傾斜面４Ａは、デタッチグリル４が開放される際に前傾態位を設定するために設けられており、その原理は図４に示すとおりである。
図４は、デタッチグリル４側の任意の位置とこれに対向する凹部２Ｂ１の開口縁の位置との対向関係を示しており、同図（Ａ）は、デタッチグリル４が閉じられて凹部２Ｂ１内に収納されている状態を、同図（Ｂ）はデタッチグリル４が開放される過程を示している。
図４において、傾斜面４Ａは、開口縁の傾斜面２Ｃに対して開放端側の任意の位置（符号Ａ’で示す位置）がデタッチグリル４の開放によって開口縁側の傾斜面２Ｃに干渉する長さとなっている。このため、図４（Ａ）において符号ＡおよびＡ’で示した位置関係にあるデタッチグリル４側の任意の位置Ａ’がデタッチグリル４の開放（図４（Ｂ）中、符号Ｄで示す状態）によって図４（Ｂ）に示すように、開口縁側においてデタッチグリル４の任意の位置Ａ’に至る長さ（符号Ｌ１で示す長さ）よりも短い（符号Ｌ２で示す長さ）位置（図４（Ｂ）中、符号Ｂで示す位置）に対向すると開口縁の傾斜面２Ｃにデタッチグリル４側の任意の位置Ａ’が干渉して当接するのでそれ以上の開放を停止させるようになっている。
図５は、図４（Ｂ）に示した状態の外観図であり、デタッチグリル４は、開放途中で開放端側の両端縁が開口縁側の傾斜面に当接して開放が停止されている。図５に示すデタッチグリル４の開放角度は、ヒンジ受け部５（図２，３参照）からデタッチグリル４のヒンジ部７を抜き出すことができる角度とされている。
【００１９】
本実施例は以上のような構成であるから、操作パネル２Ｂにおける凹部２Ｂ１内にデタッチグリル４を収納して操作パネル２Ｂに装着する場合には、図２に示すように操作パネル２Ｂから分割されているデタッチグリル４のヒンジ部７を凹部２Ｂ１側のヒンジ受け部５に嵌合させ、ヒンジ受け部５を支点として閉じる方向に回動させる。
凹部２Ｂ１内にデタッチグリル４が入り込むと、図３に示したように、デタッチグリル４側の係合部材８が凹部２Ｂ１側の係止部６と干渉して自らの付勢力に抗して係止部６により押し下げられ、係止部６を超えると自らの付勢力によって係止部６と係合する。これにより、デタッチグリル４が凹部２Ｂ１に収納された状態を維持することができる。
この状態では、デタッチグリル４の前面に露呈している押しボタンＰを操作すると、これに連動する操作パネル２Ｂ側の操作スイッチ類が作動して記録媒体の再生あるいは記録媒体の取り出しなどが行える。
【００２０】
一方、盗難を予防する際には操作パネル２Ｂからデタッチグリル４を取り外す。
この場合には、デタッチグリル４側でのデタッチ機構の構成部材である係合部材８と操作パネル３Ｂ側のデタッチ機構の構成部材である係止部６との係合を解除してデタッチグリル４を開放する方向に回動させる。
デタッチグリル４は、開放される方向に回動する過程で図４に示したように傾斜面４Ａが凹部２Ｂ１の開口縁の傾斜面２Ｃに干渉して当接するので、自重によるモーメントに抗して回動が停止される。このため、係合を解除して回動させた途中で自動的に回動が停止されて前傾態位が維持され、倒れるまで回動することがないのでデタッチグリル４が凹部２Ｂから不用意に脱落するのが防止できる。これにより、不用意に脱落したような場合に発生するデタッチグリル４側での損傷を防止できる。
前傾態位に止まっているデタッチグリル４は、ヒンジ受け部５からヒンジ部６を抜き出す方向に掴み取って搭載状態を解除されることにより操作パネル２Ｂの凹部２Ｂ１から取り外される。
デタッチグリル４は、操作パネル２Ｂから取り外される前に一旦前傾態位を維持するので、ユーザは取り外す際にデタッチグリル４を支える手間も必要がなく、しかも、モーメントによる回動速度に合わせて抜き取る準備をする必要もないので取り外しの際の操作性を向上させることができる。
【００２１】
本実施例によれば、操作パネル２Ｂの一部をなすデタッチグリル４が不用意に脱落するような事態を防止できるので、デタッチグリル４を小型化することができる。これにより、デタッチグリル４によって操作可能な操作パネル２Ｂ側の操作スイッチ類を小型化することができるので、仮にデタッチグリル４が取り除かれている場合でも、スイッチ類を指で操作するのが困難な状況とすることができる。この結果、デタッチグリル４を取り外した状態で外部から傍観できる操作パネル２Ｂにおいて操作の難易性を容易に認識させることが可能となる。
【００２２】
【発明の効果】
以上の実施例から明らかなように、本発明によれば、操作パネルの一部を他の支持面から取り外すことができるので、操作パネル全体を取り外す場合に比べて取り外す部品を小型とすることができる。これにより、持ち運びの不便性を改善した状態で情報記録再生装置の盗難防止構造を得ることができる。
しかも、操作パネルの一部を取り外す際には、着脱態位だけでなく開放過程において前傾態位に維持させることができるので、不用意な脱落を防止して取り外す対象となる部品の損傷を防止することができる。
【図面の簡単な説明】
【図１】本発明の実施の形態を説明するための実施例による情報記録再生装置の外観図である。
【図２】図１に示した情報記録再生装置の一態様を示す斜視図である。
【図３】図１中、符号（３）で示す方向の矢視断面図である。
【図４】図１に示した情報記録再生装置における操作パネルの前傾態位を設定する原理を説明するための模式図である。
【図５】図１に示した情報記録再生装置における操作パネルの前傾態位を示す斜視図である。
【符号の説明】
１              情報記録再生装置
２              再生装置本体
２Ｂ            操作パネル
２Ｂ１          凹部
２Ｃ            凹部開口縁における傾斜面
４              操作パネルの一部であるデタッチグリル
４Ａ            傾斜面
５              デタッチ機構をなすヒンジ受け部
６              デタッチ機構をなす係止部
７              デタッチ機構をなすヒンジ部
８              デタッチ機構をなす係合部材
【図１】
0004346831.tif 000002
【図２】
0004346831.tif 000003
【図３】
0004346831.tif 000004
【図４】
0004346831.tif 000005
【図５】
0004346831.tif 000006